(57)【要約】【課題】専用の外部装置の増設を必要とせず、簡単に、警告表示停止の解除を可能とする車両用表示装置を提供する。【解決手段】車両に搭載される複数の車両機器１０、２０の異常を警告する警告表示部１１２と、複数の車両機器１０、２０から得られる複数の車両信号に基づいて、警告表示部１１２の作動を制御する制御部１２０とを備える車両用表示装置において、制御部１２０は、車両に搭載される前段階において、警告表示部１１２の作動を停止させる警告表示停止モードを実行可能としており、警告表示停止モードの状態で、車両に搭載された後に、複数の車両信号のうち、少なくとも１つの所定の車両信号を受信すると、警告表示停止モードを解除するようにする。【選択図】図１
2015155234.tif 000002
【特許請求の範囲】
【請求項１】
車両に搭載される複数の車両機器（１０、２０）の異常を警告する警告表示部（１１２）と、
複数の前記車両機器（１０、２０）から得られる複数の車両信号に基づいて、前記警告表示部（１１２）の作動を制御する制御部（１２０）とを備える車両用表示装置であって、
前記制御部（１２０）は、
前記車両に搭載される前段階において、前記警告表示部（１１２）の作動を停止させる警告表示停止モードを実行可能としており、
前記警告表示停止モードの状態で、前記車両に搭載された後に、複数の前記車両信号のうち、少なくとも１つの所定の車両信号を受信すると、前記警告表示停止モードを解除することを特徴とする車両用表示装置。
【請求項２】
複数の前記車両機器（１０、２０）は、走行用駆動源となるエンジンを含み、
前記所定の車両信号は、前記エンジンの制御に関連する信号であることを特徴とする請求項１に記載の車両用表示装置。
【請求項３】
前記所定の車両信号は、複数の前記車両信号のうち、予め定めた所定の組み合わせの車両信号であることを特徴とする請求項１または請求項２に記載の車両用表示装置。
【請求項４】
前記制御部（１２０）は、複数の前記車両機器（１０、２０）と通信線（５）によって接続されており、
前記通信線（５）を介して、前記所定の車両信号を受信することを特徴とする請求項１〜請求項３のいずれか１つに記載の車両用表示装置。
【請求項５】
前記車両の作動状態を表示する作動状態表示部（１１１）を備えることを特徴とする請求項１〜請求項４のいずれか１つに記載の車両用表示装置。
【発明の詳細な説明】
【技術分野】
【０００１】
本発明は、車両における各種車両情報を表示する車両用表示装置に関するものである。
【背景技術】
【０００２】
従来、車両に組付けされる電子制御装置として、例えば、特許文献１に記載されたものが知られている。特許文献１の電子制御装置は、エンジン制御用のものであり、車両に搭載された各種センサからの情報に基づいて車両の異常診断を行い、異常と判断した診断結果を電子制御装置内の記憶部に記憶するようになっている。
【０００３】
ここで、電子制御装置は、車両に搭載される前段階においては、記憶部の記憶許可フラグはオフとされている。そして、電子制御装置は、車両への組付けが完了されたときから、車両がユーザに使用され始めるまでの間において、車両の外部装置から送信される記憶許可コマンドを受けると、記憶許可フラグをオンにして、それ以降は診断結果を記憶部へ記憶させるようになっている。
【０００４】
記憶許可コマンドを送信する外部装置としては、外部ツール、スキャンツール、テレマティクサービスを実施するためのセンター、車両製造工場と連携したセンター、およびナビゲーション装置等が記載されている。
【０００５】
このように、特許文献１の電子制御装置では、外部装置による記憶許可コマンドの送信によって、ユーザが車両を使用する段階においては、記憶許可フラグのオフ状態が解除されたものとなって、確実に診断結果が記憶部に記憶されるようになっている。
【先行技術文献】
【特許文献】
【０００６】
【特許文献１】特開２００９−５９３３４号公報
【発明の概要】
【発明が解決しようとする課題】
【０００７】
ここで、各種車両情報を表示するコンビネーションメータ装置のような車両用表示装置においては、各種車両機器における異常をユーザに警告するための複数の警告表示部が設けられている。この車両用表示装置では、車両に搭載される前段階の単体状態において電源投入されると、本来の各種車両機器との接続が得られていないことから、各種警告表示部が作動される（点灯される）形となる。例えば、開発段階の単体テスト時等においては、このような各種警告表示部の作動は不要のものであるため、警告表示を意図的に停止させることが考えられる。しかしながら、このような車両用表示装置がそのまま車両に搭載されてしまうと、本来の異常があったときに異常の警告をしないものとなってしまう。
【０００８】
このような不都合が予測されるなかで、車両搭載後に警告表示停止の解除を行うために、上記特許文献１のような、「記憶許可フラグオフ状態の解除」の技術を用いると、外部装置という構成が必要となると共に、外部装置と制御部とを接続するための手間が増加してしまう。
【０００９】
本発明の目的は、上記問題に鑑み、専用の外部装置の増設を必要とせず、簡単に、警告表示停止の解除を可能とする車両用表示装置を提供することにある。
【課題を解決するための手段】
【００１０】
本発明は上記目的を達成するために、以下の技術的手段を採用する。
【００１１】
本発明では、車両に搭載される複数の車両機器（１０、２０）の異常を警告する警告表示部（１１２）と、
複数の車両機器（１０、２０）から得られる複数の車両信号に基づいて、警告表示部（１１２）の作動を制御する制御部（１２０）とを備える車両用表示装置であって、
制御部（１２０）は、
車両に搭載される前段階において、警告表示部（１１２）の作動を停止させる警告表示停止モードを実行可能としており、
警告表示停止モードの状態で、車両に搭載された後に、複数の車両信号のうち、少なくとも１つの所定の車両信号を受信すると、警告表示停止モードを解除することを特徴としている。
【００１２】
この発明によれば、車両用表示装置（１００）が車両に搭載される前に、警告表示停止モードとされており、この警告表示停止モードのまま、車両に搭載されるようなことがあっても、制御部（１２０）は、車両機器（１０、２０）から得られる少なくとも１つの所定の車両信号を受信すると、警告表示停止モードを自動的に解除する。つまり、車両に搭載されている車両機器（１０、２０）の車両信号を活用して、警告表示停止モードを自動解除することが可能となる。よって、特許文献１のような専用の外部装置の増設を必要とせず、更に、簡単に、警告表示停止の解除を可能とすることができる。
【００１３】
尚、上記各手段の括弧内の符号は、後述する実施形態記載の具体的手段との対応関係を示すものである。
【図面の簡単な説明】
【００１４】
【図１】第１実施形態におけるコンビネーションメータ、および車両機器を示す概略図である。
【図２】第１実施形態における制御部が実行する制御内容を示すフローチャートである。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１６】
（第１実施形態）
第１実施形態の車両用表示装置について図１、図２を用いて説明する。本実施形態の車両用表示装置は、車両に搭載される複数の車両機器に関連する各種車両情報をユーザに対して総合的に表示するコンビネーションメータ１００に適用したものである。
【００１７】
車両における複数の車両機器は、例えば、エンジン１０を初めとして、エンジン油圧制御装置、ブレーキ装置、充電装置、エアバッグ装置（エアバッグ２０、エアバッグ制御部２０ａ）、ＡＢＳブレーキ装置、ドア開閉状態判定装置、シートベルト装着状態判定装置等である。各種車両機器の制御部は、通信線としてのバス５にそれぞれ接続されている。尚、バス５としては、例えば、Controller Area Network＝ＣＡＮ（登録商標）を用いたものとなっている。
【００１８】
コンビネーションメータ１００は、上記のような各種車両機器を備える車両に搭載されており、図１に示すように、表示部１１０、および制御部１２０を備えている。
【００１９】
表示部１１０は、例えば、運転席の前側となるインストルメントパネルに設置されており、メータフード内に作動状態表示部１１１と、警告表示部１１２とを有している。
【００２０】
作動状態表示部１１１は、各種車両情報として、車両の各種作動状態を表示する表示部となっている。作動状態表示部１１１は、例えば、車両の速度を表示する速度計１１１ａ、エンジン１０の回転数を表示する回転計１１１ｂ、燃料タンク内の燃料残量を表示する燃料残量計１１１ｃ、およびエンジン１０の冷却水温を表示する水温計１１１ｄ等を有している。速度計１１１ａ、回転計１１１ｂ、燃料残量計１１１ｃ、および水温計１１１ｄは、例えば、指針の回動によって各表示値を示す指針式（アナログ式）の表示部となっている。
【００２１】
また、警告表示部１１２は、各種車両情報として、上記のような各種車両機器に異常が発生したときに、ユーザにその異常を警告する表示部となっている。警告表示部１１２は、ここでは、ランプを点灯（例えば赤色点灯）することによりユーザに対して各種警告表示を行う複数の警告灯となっている。警告表示部１１２は、例えば、エンジン警告灯１１２ａ、油圧警告灯１１２ｂ、ブレーキ警告灯１１２ｃ、充電警告灯１１２ｄ、エアバッグ警告灯１１２ｅ、ＡＢＳ（Antilock Brake System）警告灯１１２ｆ、半ドア警告灯１１２ｇ、およびシートベルト警告灯１１２ｈ等を有している。
【００２２】
エンジン警告灯１１２ａは、エンジン１０の制御システムにおける異常を警告する。油圧警告灯１１２ｂは、エンジン油圧制御装置における異常を警告する。ブレーキ警告灯１１２ｃは、パーキングブレーキ装置および通常走行時のブレーキ装置における異常を警告する。充電警告灯１１２ｄは、充電装置における車両バッテリ３０への充電異常を警告する。エアバッグ警告灯１１２ｅは、ＳＲＳ（Supplemental Restraint System）エアバッグ装置の異常を警告する。ＡＢＳ警告灯１１２ｆは、ＡＢＳブレーキ装置の異常を警告する。半ドア警告灯１１２ｇは、ドアを閉めたときの半ドア状態を警告する。また、シートベルト警告灯１１２ｈは、乗車時のシートベルトの未装着状態を警告する。
【００２３】
制御部１２０は、上記作動状態表示部１１１、および警告表示部１１２の作動状態を制御する制御手段である。制御部１２０は、各種車両機器と同様に、バス５に接続されており、バス５を介して、各種車両機器に関連する複数の車両信号を取得できるようになっている。そして、これら車両信号に基づいて、作動状態表示部１１１、および警告表示部１１２の作動状態を時々刻々と制御する。
【００２４】
制御部１２０は、作動状態表示部１１１に対しては、各種車両機器から取得した車両信号を基に、現在の走行速度、エンジン回転数、燃料残量、および冷却水温の各値を算出する。そして、制御部１２０は、指針の回動位置を制御することで、指針の先端部が算出した各値を指し示すようにする。
【００２５】
また、制御部１２０は、警告表示部１１２に対しては、イグニッションスイッチ４０によって、電源投入状態とされると、すべての警告灯を点灯状態とし、更に、イグニッションスイッチ４０によってエンジン１０が始動されると、消灯状態とするようになっている。そして、各種車両機器からの車両信号が断線等によって得られない場合、あるいは予め定めた異常信号を取得した場合に、その異常に対応する警告灯を点灯させる。
【００２６】
ここで、本コンビネーションメータ１００においては、車両に搭載される前の段階、つまりコンビネーションメータ１００の単体状態において、制御部１２０は、警告表示部１１２に対して、警告表示を停止させる警告表示停止モードの実行を可能としている。
【００２７】
即ち、「発明が解決しようとする課題」の項で説明したように、例えば、コンビネーションメータ１００の開発段階において、開発者がコンビネーションメータ１００の狙いとする機能、あるいはその耐久性等に関する信頼性評価を実施する際に、コンビネーションメータ１００に電源を投入して各種試験を実施する。すると、単体状態においては車両搭載時とは異なり各種車両機器との接続がない状態となることから、各種車両機器からの車両信号が得られない形となる。この場合、制御部１２０は、各種車両機器からの車両信号が得られないことから、異常発生ありと判定して、警告表示部１１２を点灯させることになる。
【００２８】
このような状況は、開発者には充分理解されている事柄ではあるが、実際に信頼性評価を行ううえでは不要なことであり、開発者は制御部１２０に対して意図的に警告表示部１１２による表示機能を停止させる処置を行う場合がある。このとき、制御部１２０は、この状態を警告表示停止モードとして設定することになる。
【００２９】
このように警告表示停止モードにあるコンビネーションメータ１００は、外観上は警告表示停止モードになっているか否か、何ら区別ができないため、このコンビネーションメータ１００を誤って車両に搭載したとすると、実際に異常が発生したときに、警告表示部１１２が点灯されないものとなってしまう。
【００３０】
よって、本実施形態では、制御部１２０に、実車搭載時において警告表示停止モードを自動的に解除する機能（制御プログラム）を持たせている。以下、その制御内容を、図２に示すフローチャートを用いて説明する。
【００３１】
コンビネーションメータ１００が実車に搭載されて、コンビネーションメータ１００に電源が投入されると、警告表示停止モードの自動解除制御がスタートされる。まず、制御部１２０は、ステップＳ１００で、バス５を介して各種車両機器から各種車両信号を取得するようにする。
【００３２】
そして、ステップＳ１１０で、制御部１２０は、各種車両機器からの各種車両信号のうち、少なくとも１つの所定の車両信号を取得したか否かを判定する。ここでは、所定の車両信号としては、車両における代表的な車両機器としてエンジン１０の制御に関連する車両信号としている。エンジン１０の車両信号としては、例えば、車速信号、回転数信号、水温信号等、種々あるが、そのうちのいずれか１つの信号とする。
【００３３】
そして、ステップＳ１１０で肯定判定すると、制御部１２０は、本コンビネーションメータ１００は、車両に搭載された状態であると捉えて、ステップＳ１２０で、警告表示停止モードを解除する。つまり、異常信号に基づいて警告表示部１１２を作動させる本来の通常モードに戻すのである。
【００３４】
尚、ステップＳ１１０で、否定判定すると、制御部１２０は、本コンビネーションメータ１００は、まだ車両に搭載されていない状態であると捉えて、ステップＳ１３０で、警告表示停止モードをそのまま維持する。
【００３５】
以上のように、本実施形態では、コンビネーションメータ１００が車両に搭載される前に、警告表示停止モードとされており、この警告表示停止モードのまま、車両に搭載されるようなことがあっても、制御部１２０は、各種車両機器から得られる少なくとも１つの所定の車両信号を受信すると、警告表示停止モードを自動的に解除する。つまり、車両に搭載されている各種車両機器の車両信号を活用して、警告表示停止モードを自動解除することが可能となる。よって、特許文献１のような専用の外部装置の増設を必要とせず、更に、簡単に、警告表示停止の解除を可能とすることができる。
【００３６】
また、所定の車両信号として、エンジン１０の制御に関連する車両信号を用いているので、このエンジン１０の車両信号を受信することで、コンビネーションメータ１００が車両に搭載された状態であることを確実に把握することができ、誤りのない警告表示停止モード解除の実行が可能となる。
【００３７】
また、制御部１２０は、バス５を介して所定の車両信号を受信するようにしているので、各種車両機器（エンジン１０）から容易に所定の信号を受信することができる。
【００３８】
（第２実施形態）
上記第１実施形態では、ステップＳ１１０で判定する際の所定の車両信号をエンジン１０の車両信号としたが、これに代えて、複数の車両信号のうち、予め定めた所定の組み合わせの車両信号としても良い。
【００３９】
例えば、代表とされる車両機器を複数選択しておき、それらの車両信号を予め決めておき、それらの全ての車両信号を受信したときに、ステップＳ１１０で肯定判定するようにしても良い。
【００４０】
具体的には、代表とされる車両機器を例えば、エンジン１０、エアバッグ２０、更にはブレーキ装置等とする。そして、エンジン１０の車両信号、およびエアバッグ２０の車両信号、およびブレーキ装置の車両信号の３つの全てを受信したときに、制御部１２０は、ステップＳ１１０で肯定判定し、ステップＳ１２０の警告表示停止モードの解除を行うようにする。
【００４１】
これにより、所定の車両信号として、複数の車両機器における複数の車両信号を用いることで、コンビネーションメータ１００が車両に搭載された状態であることを確実に把握することができ、誤りのない警告表示停止モード解除の実行が可能となる。
【００４２】
（その他の実施形態）
上記各実施形態では、車両用表示装置として、コンビネーションメータ１００を対象としたが、これに限定されることなく、表示部１１０は、作動状態表示部１１１を有しておらず、警告表示部１１２のみを有するものとしても良い。
【００４３】
また、警告表示部１１２は、警告灯を採用して、ランプを点灯表示することで、異常を知らせるものとしたが、これに限らず、音によって異常を知らせるものとしても良い。
【００４４】
また、制御部１２０は、バス５（通信線）を介して各種車両機器から車両信号を受信するものとしたが、これに限らず、無線通信によって車両信号を受信するものとしても良い。
【符号の説明】
【００４５】
５  バス（通信線）
１０  エンジン（車両用機器）
２０  エアバッグ（車両機器）
１００  コンビネーションメータ（車両用表示装置）
１１２  警告表示部
１２０  制御部
【図１】
2015155234.tif 000003
【図２】
2015155234.tif 000004